(57)【要約】【課題】モバイルＩＰｖ６を適用したネットワークシステム及びアドレス作成方法に関し、移動先のルータをホームエージェントとする。【解決手段】ホームエージェント機能を有するアクセスルータＡＲ２からの少なくともプリフイックス情報オプションを含むルータ広告を、モバイル端末ＭＮ１のホームアドレス受信手段により受信し、ホームアドレス作成手段５により、気付アドレスやホームアドレスやホームエージェントのアドレスを作成し、登録要求手段６によりアクセスルータＡＲ２に登録要求し、アクセスルータＡＲ２の登録手段８に登録して、このアクセスルータＡＲ２をモバイル端末ＭＮ１のホームエージェントとする。【選択図】          図１
2005012620.tif 000002
【特許請求の範囲】
【請求項１】
モバイルＩＰホームエージェント機能を有するルータと、移動可能で、移動先の前記ルータに接続して通信相手先の端末の間で通信するモバイル端末とを含むネットワークシステムに於いて、
前記モバイル端末は、前記ルータからの少なくともプリフィックス情報を含む広告メッセージを受信して、気付アドレスとホームアドレスとの作成及びホームエージェントのアドレスとを作成する手段と、該手段により作成したアドレスを基に前記広告メッセージを送出したルータに登録要求する手段とを含む構成を有し、
前記ルータは、少なくともプリフィックス情報オプションを含む前記広告メッセージを回線に送出する手段と、前記モバイル端末からの登録要求に従って該モバイル端末のホームエージェントとなる登録手段とを含む構成を有する
ことを特徴とするネットワークシステム。
【請求項２】
前記ルータは、前記広告メッセージに前記モバイル端末のホームアドレスを作成する為のホームプリフィックス情報を追加して送出する手段を有することを特徴とする前記請求項１記載のネットワークシステム。
【請求項３】
前記ルータは、前記広告メッセージに前記ホームプリフィックス情報オプションと、ホームエージェントのアドレス作成の為の情報とを追加して送出する手段を含むことを特徴とする請求項１記載のネットワークシステム。
【請求項４】
モバイルＩＰホームエージェント機能を有するルータと、移動可能で、移動先の前記ルータに接続して通信相手先の端末の間で通信するモバイル端末とを含むネットワークシステムに於ける前記モバイル端末を接続したルータをホームエージェントとする為のアドレス作成方法に於いて、
前記モバイル端末は、前記ホームエージェントとするルータからのプリフィックス情報オプションを含むルータ広告を受信して、前記プリフィックス情報オプションを基に少なくとも気付アドレスを作成し、前記プリフィックス情報オプション又は追加のオプションを基にホームアドレスを作成し、且つ前記プリフィックス情報オプションと追加のオプション又は追加のオプションにより前記ホームエージェントのアドレスを作成する過程を含む
ことを特徴とするアドレス作成方法。
【請求項５】
前記モバイル端末が、前記ホームアドレス若しくはホームプリフィックス情報を保有していない時は、前記ルータ広告のプリフィックス情報オプションによるプリフィックス情報と該モバイル端末が保有するインタフェースＩＤとを結合して該モバイル端末のホームアドレスを作成し、該モバイル端末が前記ホームアドレスを保有し、気付アドレスを作成する時は、前記プリフィックス情報と該モバイル端末が保有するインタフェースＩＤとを結合して該モバイル端末の気付アドレスを作成する過程を含むことを特徴とする請求項４記載のアドレス作成方法。
【発明の詳細な説明】
【０００１】
【発明の属する技術分野】
本発明は、ネットワークを介して通信する端末を、移動先に於いても移動前と同様な条件で他の端末等との間で通信を可能とするモバイルＩＰｖ６を適用したネットワークシステム及び移動先に於いて必要とするアドレスをルータ広告を用いて作成するアドレス作成方法に関する。
【０００２】
【従来の技術】
インターネットに接続する為のアクセスネットワークとして、ＩＳＤＮやＡＤＳＬ（Ａｓｙｍｍｅｔｒｉｃ  Ｄｉｇｉｔａｌ  Ｓｕｂｓｃｒｉｂｅｒ  Ｌｉｎｅ）に加えて、ＰＤＣ（Ｐｅｒｓｏｎａｌ  Ｄｉｇｉｔａｌ  Ｃｅｌｌｕｌａｒ），ＰＤＣ−Ｐ（Ｐｅｒｓｏｎａｌ  Ｄｉｇｉｔａｌ  Ｃｅｌｌｕｌａｒ−Ｐａｃｋｅｔ），ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ），ＧＰＲＳ（Ｇｅｎｅｒａｌ  Ｐａｃｋｅｔ  Ｒａｄｉｏ  Ｓｅｒｖｉｃｅ）等の第２世代ディジタルセルラーネットワークや、第３世代ディジタルセルラーシステムのＩＭＴ−２０００や、小規模無線アクセス技術の無線ＬＡＮを構成するＢｌｕｅｔｏｏｔｈ等の多様なアクセスネットワークが使用可能となっている。このようなインターネットと各種アクセスネットワークを接続して構成されるネットワーク上でシームレスな通信を行う為のキーテクノロジーの一つとしてモバイルＩＰｖ６（Ｍｏｂｉｌｅ  Ｉｎｅｒｎｅｔ  Ｐｒｏｔｏｃｏｌ  Ｖｅｒｓｉｏｎ  ６）が知られている。
【０００３】
このモバイルＩＰｖ６は、ＩＰネットワークに於いて、端末がネットワーク上の接続位置を変更しても、割当てられたアドレスを用いて通信を可能とするもので、ＩＥＴＦ（Ｉｎｅｒｎｅｔ  Ｅｎｇｉｎｅｅｒｉｎｇ  Ｔａｓｋ  Ｆｏｒｃｅ）に於いて、インターネットドラフト（ｄｒａｆｔ−ｉｅｔｆ−ｍｏｂｉｌｅｉｐ−ｉｐｖ６−１８．ｔｘｔ）として開示されている。
【０００４】
又モバイルＩＰｖ６は、ＩＰネットワークに対して移動可能としたモバイル端末（Ｍｏｂｉｌｅ  Ｎｏｄｅ）（以下ＭＮと略称する）が、移動先に於いて使用する気付アドレス（Ｃａｒｅ−ｏｆ  Ａｄｄｒｅｓｓ）（以下ＣｏＡと略称する）を取得し、移動管理エージェントであるホームエージェント（Ｈｏｍｅ  Ａｇｅｎｔ）（以下ＨＡと略称する）へ登録メッセージ（Ｂｉｎｄｉｎｇ  Ｕｐｄａｔｅ）（以下ＢＵと略称する）を送信してＣｏＡを登録する。ＨＡは、このＣｏＡとＭＮのホームアドレスとを対応付けて登録しておくことにより、ＭＮ宛のパケットを転送処理する。
【０００５】
図１３は、モバイルＩＰｖ６を適用した従来のネットワークシステムの概要を示すもので、モバイル端末ＭＮ１０と、このモバイル端末１０のホームリンクのアクセスルータであるホームエージェントＨＡ２０と、他のアクセスルータＡＲ３０と、ネットワーク４０と、通信相手先ノードＣＮ５０とを含む構成を示し、ＨＡ２０に接続してネットワーク４０を介して通信を行っていたＭＮ１０を移動して、その移動先のアクセスルータＡＲ（Ａｃｃｅｓｓ  Ｒｏｕｔｅｒ）３０に接続し、ネットワーク４０を介して他のＡＲ３０と接続している通信相手先ノードＣＮ（Ｃｏｒｒｅｓｐｏｎｄｅｎｔ  Ｎｏｄｅ）５０との間で通信する場合について示す。なお、ＨＡ２０は、ＭＮ１０のホームアドレスＨｏＡ（Ｈｏｍｅ  Ａｄｄｒｅｓｓ）とＭＮ１０の移動先を示す気付アドレスＣｏＡ（Ｃａｒｅ−ｏｆ  Ａｄｄｒｅｓｓ）とを対応して格納したバインディングキャッシュ（Ｂｉｎｄｉｎｇ  Ｃａｃｈｅ）を備えている。
【０００６】
モバイルＩＰｖ６では、ＭＮのホームアドレスやこのＭＮのホームエージェントのアドレスは予め決められている場合と、動的に割当てる場合とが知られており、図１４は、従来例の動的に割当てる場合のシーケンスチャートを示し、モバイル端末ＭＮと、アクセスルータＡＲと、ドメイン名管理システムＤＮＳ（Ｄｏｍａｉｎ  Ｎａｍｅ  Ｓｙｓｔｅｍ）と、ホームエージェントＨＡとについて示す。
【０００７】
ＡＲに接続してＭＮの電源オンＰｏｗｅｒ  ｏｎとし、ＡＲからのルータ広告（Ｒｏｕｔｅｒ  Ａｄｖｅｒｔｉｓｅｍｅｎｔ）を受信して気付アドレスＣｏＡを作成する。そして、ＭＮは、予め保有しているＨＡのホスト名に対するＩＰアドレスをＤＮＳに対して問い合わせ（ＤＮＳ  ｑｕｅｒｙ）を送出する。ＤＮＳは、ＭＮに対してＨＡのエニーキャストアドレス（Ａｎｙｃａｓｔ  Ａｄｄｒｅｓｓ）の応答（ＤＮＳ  ｒｓｐ）を送出する。ＭＮは、ＨＡエニーキャストアドレスによりＩＣＭＰ（Ｉｎｔｅｒｎｅｔ  Ｃｏｎｔｒｏｌ  Ｍａｓｓａｇｅ  Ｐｒｏｔｏｃｏｌ）ホームエージェントアドレス要求（Ｈｏｍｅ  Ａｇｅｎｔ  Ａｄｄｒｅｓｓ  Ｄｉｓｃｏｖｅｒｙ  Ｒｅｑｕｅｓｔ）を送出する。
【０００８】
ホームリンク上のＨＡの一つが、前述の要求を受信すると、ホームリンクにあるＨＡの優先度やＩＰアドレスを記載したＨＡリストを作成し、応答（ＨｏｍｅＡｇｅｎｔ  Ａｄｄｒｅｓｓ  Ｄｉｓｃｏｖｅｒｙ  Ｒｅｐｌｙ）によりＨＡリストを作成してＭＮに送出する。
【０００９】
ＭＮは、ＨＡリスト中の優先度等を参照して、ＭＮのホームエージェントとなるＨＡを選択し、そのＨＡにホームリンクのプリフィックス情報依頼（ＨｏｍｅＰｒｅｆｉｘ  Ｓｏｌｉｄｉｔａｔｉｏｎ）を送出する。このプリフィックス情報依頼に従ってＨＡからのホームプリフィックス広告（Ｈｏｍｅ  Ｐｒｉｆｉｘ  Ａｄｖｅｒｔｉｓｅｍｅｎｔ）によりＭＮに通知する。
【００１０】
ＭＮは、ホームアドレス（Ｈｏｍｅ  Ａｄｄｒｅｓｓ）を作成して、ＨＡに登録メッセージ（Ｂｉｎｄｉｎｇ  Ｕｐｄａｔｅ）を送出する。ＨＡは、登録を受付けると、ＭＮに対して登録受付け（Ｂｉｎｄｉｎｇ  Ａｃｋｎｏｗｌｅｄｇｅｍｅｎｔ）を送出する。
【００１１】
固定的又は動的な割当てにより、ＭＮがホームアドレス（ＨｏＡ）と、移動した時の気付アドレス（ＣｏＡ）とを保有した状態に於いては、図１３に示すバインディングキャッシュ（Ｂｉｎｄｉｎｇ  Ｃａｃｈｅ）に、ＭＮ１０のＣｏＡとＨｏＡとを対応させて所定時間保持する。この場合、ＭＮ１０のホームアドレスＨｏＡを１２３４：：５６７８、気付アドレスＣｏＡをＦＥＤＣ：：３２１０として保持している場合を示している。そして、ＣＮ５０が、ＭＮ１０のＨｏＡを宛先アドレスＤＡとし、ソースアドレスＳＡを自端末のアドレスＣＮとし、データＤａｔａを含むパケットを送出する。この場合、宛先アドレスＤＡは、ＭＮ１０のＨｏＡ（１２３４：：５６７８）とすることになる。
【００１２】
ＨＡ２０は、宛先アドレスＤＡがＨｏＡ（１２３４：：５６７８）のＣＮ５０からのパケットをインタセプトし、バインディングキャッシュを参照してＭＮ１０に対するＣｏＡ（ＦＥＤＣ：：３２１０）を取得し、ソースアドレス（ＳＡ）をＨＡ２０のアドレスとし、宛先アドレス（ＤＡ）をＭＮ１０のＣｏＡ（ＦＥＤＣ：：３２１０）とし、ＣＮ５０からのパケットをカプセル化して送出する。ＭＮ１０は、このパケットを受信すると、デカプセル化して元のパケットに戻して処理する。
【００１３】
一般に、ＩＰ上のアプリケーションは、パケットのソースアドレスと宛先アドレスとの組を用いてセッションを識別するものであり、従って、ＭＮ１０のアプリケーションからみれば、パケットのソースアドレスとしてのＣＮ５０のアドレスと、宛先アドレスとしてのＭＮ１０のＨｏＡは変化しない値であるから、ＭＮ１０が移動してＣｏＡが変わっても、ＭＮ１０に対するＨＡ２０のバインディングキャッシュを参照することにより、ＭＮ１０，ＣＮ５０との間の通信を行うことが可能となる。
【００１４】
又ＭＮは、遠方に移動しても、その移動先からＨＡにＣｏＡの登録を行うものであるが、このＨＡの代理機能を、移動先のＡＲに持たせるシステムが知られている。この場合、ＭＮを接続した時の直近のアクセスルータＡＲにホームエージェントＨＡの代理機能を持たせるものであるが、ＭＮのＣｏＡと、ＮＡＩ（Ｎｅｔｗｏｒｋ  Ａｃｃｅｓｓ  Ｉｄｅｎｔｉｆｉｅｒ）又はＳＩＰ  ＵＲＩ−ＵＲＬ（Ｓｅｓｓｉｏｎ  Ｉｎｉｔｉａｔｉｏｎ  Ｐｒｏｔｏｃｏｌ−Ｕｎｉｆｏｒｍ  Ｒｅｓｏｕｒｃｅ  Ｌｏｃａｔｏｒ）の上位レイヤアドレスとを管理し、且つ代理ＨＡはＣＮリストを保持し、このＣＮとＭＮとの間のパケット転送を行う手段を含むシステムである（例えば、特許文献１参照）。
【００１５】
【特許文献１】
特開２００２−２７１３７７号公報
【００１６】
【発明が解決しようとする課題】
従来のモバイルＩＰｖ６は、ＭＮを移動してネットワークに接続した時に、移動前と同様にパケットの送受信が可能となるが、図１３に於いて、ＭＮ１０がＨＡ２０から遠く離れた位置に移動した場合でも、登録メッセージ（Ｂｉｎｄｉｎｇ  Ｕｐｄａｔｅ）等のモビリティメッセージは、ＨＡ２０まで転送される為、遠距離の移動先に於ける位置登録に時間がかかる問題がある。又ＣＮ５０からＨＡ２０を経由するＭＮ１０へのパケットは、総てＨＡ２０を経由することになるから、ＨＡ２０が地理的に離れている場合、パケットの転送時間が大きくなる問題がある。
【００１７】
又ＭＮ１０のホームアドレスや、このＭＮ１０に対するＨＡ２０のアドレスを動的に割当てる従来の方式の場合は、ホームネットワークのアドレス体系を変更した場合、又はＨＡが故障して場合に、動的にＭＮのホームアドレスや、このＭＮに対するＨＡのアドレスを割当てることにより、通信を可能とすることができる。しかし、その際に割当てられるＨＡは、ホームリンクに存在する為、ＭＮとＨＡとが離れている場合は、位置登録やパケットの転送に要する時間が長くなる問題がある。
【００１８】
又前述の特許文献１に示されているようなシステムは、ＭＮが第３世代の携帯電話であることを想定し、アクセスルータＡＲでは、ＭＮのホームアドレスを持たないものであり、又上位レイヤ（ＮＡＩ又はＳＩＰ−ＵＲＬ）をハンドリングする必要がある。又ＭＮ−ＡＲ間のパケットの転送アドレスとしてＮＡＩを用いるもので、その為に、大規模ネットワーク等に於いて、ＭＮとＡＲとを直接的に接続せずに、中継装置を介して接続する構成の場合、ＮＡＩを解釈できる特殊な中継装置が必要となる問題がある。或いは、ＭＮとＡＲとの間でＮＡＩを見えないようにするトンネリング機能をＭＮとＡＲとに設ける必要がある。又ＡＲに於いて、配下の全ＭＮに対する全通信相手先リストを保持し、ＭＮに代わって相手先端末に位置登録を行う必要がある。
【００１９】
本発明は、モバイル端末の移動先のルータをホームエージェントに設定して、位置登録やパケット転送の時間を短縮可能とし、その為のアドレス作成を容易にすることを目的とする。
【００２０】
【課題を解決するための手段】
本発明のネットワークシステムを、図１を参照して説明すると、モバイルＩＰホームエージェント機能を有するルータ２と、移動可能で、移動先のルータ２に接続して通信相手先の端末の間で通信するモバイル端末１とを含むネットワークシステムに於いて、モバイル端末１は、ルータ２からの少なくともプリフィックス情報を含む広告メッセージを受信して、気付アドレスとホームアドレスとの作成及びホームエージェントのアドレスとを作成する手段（ホームアドレス作成手段５）と、この手段により作成したアドレスを基に、広告メッセージを送出したルータ２に登録要求する手段（登録要求手段６）とを含む構成を有し、ルータ２は、少なくともプリフィックス情報を含むルータ広告を有線又は無線の回線に送出する手段（ホームアドレス通知手段７）と、モバイル端末１からの登録要求に従って、このモバイル端末１のホームエージェントとなる登録手段（ホームエージェントの登録手段８）とを含む構成を有するものである。
【００２１】
又ルータ２は、広告メッセージに、モバイル端末１のホームアドレスを作成する為のホームプリフィックス情報を追加して送出する手段を有する。又ルータ２は、広告メッセージに、ホームプリフィックス情報と、ホームエージェントのアドレス作成の為の情報とを追加して送出する手段を含むことができる。
【００２２】
又本発明のアドレス作成方法は、モバイルＩＰホームエージェント機能を有するルータ２と、移動可能で、移動先のルータ２に接続して通信相手先の端末の間で通信するモバイル端末１とを含むネットワークシステムに於けるモバイル端末１を接続したルータ２をホームエージェントとする為のアドレス作成方法に於いて、モバイル端末１は、ホームエージェントとするルータ２からのプリフィックス情報オプションを含むルータ広告を受信して、プリフィックス情報オプションを基に少なくとも気付アドレスを作成し、前記プリフィックス情報オプション又は追加のオプションを基にホームアドレスを作成し、且つ前記プリフィックス情報オプションと追加のオプション又は追加のオプションにより前記ホームエージェントのアドレスを作成する過程を含むものである。
【００２３】
又モバイル端末１が、前記ホームアドレス若しくはホームプリフィックス情報を保有していない時は、ルータ広告のプリフィックス情報オプションによるプリフィックス情報と、このモバイル端末１が保有するインタフェースＩＤとを結合して、このモバイル端末１のホームアドレスを作成し、このモバイル端末１がホームアドレスを保有し、気付アドレスを作成する時は、プリフィックス情報と、このモバイル端末１が保有するインタフェースＩＤとを結合して、このモバイル端末１の気付アドレスを作成する過程を含むことができる。
【００２４】
【発明の実施の形態】
図１は本発明の実施の形態の要部説明図であり、１はモバイル端末（ＭＮ；Ｍｏｂｉｌｅ  Ｎｏｄｅ）、２はアクセスルータ（ＡＲ；Ａｃｃｅｓｓ  Ｒｏｕｔｅｒ）、３はネットワーク、４はホームアドレス受信手段、５はホームアドレス作成手段、６は登録要求手段、７はホームアドレス通知手段、８は登録手段を示す。
【００２５】
ネットワーク３は図示を省略した複数のアクセスルータ（ＡＲ）を含むものであり、その中の一つのアクセスルータＡＲ２を示し、このＡＲ２の構成は、既に知られている構成を適用することができるものであるが、ＭＮ１に対するホームエージェントとなる為の登録手段８を含むものである。又ＡＲ２のホームアドレス通知手段７は、少なくともホームプリフィックス情報オプションを含むルータ広告を、ＭＮ１からの要求又は定期的に、有線又は無線の回線に送出する。このルータ広告は、モバイルＩＰｖ６として既に知られているが、オプションを更に追加することができる。
【００２６】
ＭＮ１の構成についても、既に知られている構成を適用することができるものであるが、ホームアドレス作成手段５と、ＡＲ２をホームエージェントとする為の登録要求手段６を含むものである。有線又は無線の回線に接続したＭＮ１は、ホームアドレス受信手段４によりＡＲ２からのルータ広告を受信し、ホームアドレス作成手段５により、ＣｏＡとホームアドレスとＨＡアドレスとを作成し、登録要求手段６によりＡＲ２に対して登録要求する。ＡＲ２は、ホームエージェントの登録手段８により登録要求受付けを行い、ＭＮ１に対して直近のＡＲ２をホームエージェントとすることができる。従って、ＭＮ１は、移動先に於いても、距離が短い位置に新たなＨＡを構成することができるから、位置登録時間並びにＭＮ１へのパケット転送時間を短縮することができる。又ＡＲ２は、配下となったＭＮの通信相手先のリストは保持していないものである。又ＡＲ２は、通常のアクセスルータと同様にＩＰレイヤについてのハンドリング機能を有するものである。
【００２７】
図２は、位置登録シーケンス説明図であり、モバイル端末ＭＮと、ホームエージェントとなるアクセスルータＡＲ（ＨＡ）と、ドメイン名管理システムＤＮＳ（Ｄｏｍａｉｎ  Ｎａｍｅ  Ｓｙｓｔｅｍ）とについて示し、ＭＮが有線又は無線の回線を介してＡＲに接続し、電源オン（Ｐｏｗｅｒ  ｏｎ）とすることにより、ＡＲからのルータ広告（Ｒｏｕｔｅｒ  Ａｄｖｅｒｔｉｓｅｍｅｎｔ）を受信する。このルータ広告は、図１のＡＲ２のホームアドレス通知手段７から有線又は無線の回線に送出するものである。
【００２８】
ＭＮは、ホームアドレス受信手段４により受信したアドレス情報を基にＣｏＡを作成する。又ホームアドレスとＨＡアドレスとを作成する。そして、ＨＡとなるＡＲに対して、登録要求手段６から登録メッセージ（Ｂｉｎｄｉｎｇ  Ｕｐｄａｔｅ）を送出して、登録手段８にＣｏＡを登録する。そして、ＭＮは、ＡＲ（ＨＡ）から登録受付け（Ｂｉｎｄｉｎｇ  Ａｃｋｎｏｗｌｅｄｇｅｍｅｎｔ）を受信する。従って、新規に又は移動先でＭＮを回線に接続して電源オンとし、要求又は定期的なＡＲからのルータ広告を受信することにより、このＡＲをホームエージェントとすることができる。
【００２９】
図３は、アドレス作成及び位置登録の説明図であり、ＭＮと、移動先の新ＡＲ（ｎｅｗ  ＡＲ）と移動前の旧ＡＲ（ｐｒｅｖｉｏｕｓ  ＡＲ）とを示す。ＭＮは、新ＡＲからのルータ広告（Ｒｏｕｔｅｒ  Ａｄｖｅｒｔｉｓｅｍｅｎｔ）を受信し、ホームアドレスを保有しているか否かを判定する。ＭＮは、電源オン後に、何らかの理由によりホームアドレスを保有していない場合がある。例えば、ホームアドレスの有効時間が経過した場合等がある。
【００３０】
このように、ホームアドレスを保有していない場合は、直近のルータからのルータ広告を受信して、プリフィックス情報オプションや更に追加したオプションを基にホームアドレスとＨＡのアドレスとを作成する。又ホームアドレスを保有している場合は、ＣｏＡを保有しているか否かを判定し、ＣｏＡを保有している場合は、プリフィックス情報が変化したか否か、即ち、ＭＮが保有しているプリフィックス情報と、ルータ広告によるプリフィックス情報とが一致するか否かを判定し、変化していない場合は、現在のＡＲに対しては移動していない場合であるから、ＭＮは、ＡＲに対して特に位置登録等の処理は行わない。
【００３１】
又ＣｏＡを保有していない場合は、ＭＮがホームリンクにいる状態から、又ＣｏＡを保有しているが、プリフィックス情報が変化した場合は、ＭＮが或る外部リンクにいる状態から、他のＡＲ配下に移動した場合に相当し、モバイルＩＰｖ６手順に従って、ＭＮのＣｏＡを作成し、旧ＡＲに対して登録メッセージ（Ｂｉｎｄｉｎｇ  Ｕｐｄａｔｅ）を送出して、ＣｏＡを登録する。そして、ＡＲ（ＨＡ）から登録受付け（Ｂｉｎｄｉｎｇ  Ａｃｋｎｏｗｌｅｄｇｅｍｅｎｔ）を受信する。この状態は、ＭＮが或る外部リンクから別の外部リンクに移動した場合である。
【００３２】
図４は、前述の実施の形態と異なる実施の形態のアドレス作成及び位置登録の説明図であり、ＭＮと新ＡＲ（ｎｅｗ  ＡＲ）とＨＡとについて示し、ＭＮが電源オンとし、新ＡＲからのルータ広告（Ｒｏｕｔｅｒ  Ａｄｖｅｒｔｉｓｅｍｅｎｔ）を受信し、ホームアドレスを保有しているか否かを判定し、ホームアドレスを何らかの理由で保有していない場合は、ルータ広告を基に、ＭＮのホームアドレスと、ＨＡのアドレスとを作成する。
【００３３】
又ホームアドレスを保有している場合は、プリフィックス（Ｐｒｉｆｉｘ）情報が変化したか否か、即ち、保有していたプリフィックス情報と受信したルータ広告に含まれているプリフィックス情報とが一致するか否かを判定する。一致する場合は、前のＨＡ配下であるから、位置登録処理等は行わない。又プリフィックス情報が変化している場合、又はホームアドレス及びＨＡのアドレスを作成した場合は、通常のモバイルＩＰｖ６手順に従って、ＭＮのＣｏＡを作成し、ＨＡアドレス（ＭＮに対してホームエージェント機能を提供しているルータのアドレス）に対して登録メッセージ（Ｂｉｎｄｉｎｇ  Ｕｐｄａｔｅ）を送出して、ＣｏＡを登録する。そして、ＡＲ（ＨＡ）から登録受付け（Ｂｉｎｄｉｎｇ  Ａｃｋｎｏｗｌｅｄｇｅｍｅｎｔ）を受信する。
【００３４】
図５は、本発明の実施の形態の第１のアドレスの作成方法の説明図であり、ＡＲは、定期的に又はＭＮからの要請メッセージによりルータ広告を有線又は無線の回線に送出する。このルータ広告は、ソースアドレスＳＡと宛先アドレスＤＡとプリフィックス情報（Ｐｒｅｆｉｘ  Ｉｎｆｏｒｍａｔｉｏｎ）オプションとを基本とし、これに、ホームプリフィックス情報（Ｈｏｍｅ  Ｐｒｅｆｉｘ  Ｉｎｆｏｒｍａｔｉｏｎ）オプションを追加したフォーマットの場合を示す。
【００３５】
ＭＮは、通常のモバイルＩＰｖ６と同様に、プリフィックス情報オプションからＣｏＡを作成する。即ち、プリフィックス情報オプション中のプリフィックスの有効プリフィックス長分を取り出し、それにＭＮが予め保有しているインタフェースＩＤを結合してＣｏＡを作成する。又ホームプリフィックス情報オプション中のプリフィックスのうち、有効プリフィックス長分を取り出し、それに、ＭＮが予め保有しているインタフェースＩＤを結合して、ホームアドレス（Ｈｏｍｅ  Ａｄｄｒｅｓｓ）を作成する。又ＭＮは、ホームプリフィックス情報オプション中のプリフィックス（アドレス）領域で示される値を、ＭＮのホームエージェントのアドレス（ＨＡアドレス）とする。
【００３６】
図６は、ホームプリフィックス情報オプションのフォーマットの一例を示すもので、Ｔｙｐｅは、他のオプションと区別してホームプリフィックス情報オプションであることを示す値、Ｌｅｎｇｔｈは、このオプションの長さ、Ｐｒｅｆｉｘ  Ｌｅｎｇｔｈは、Ｐｒｅｆｉｘ（Ａｄｄｒｅｓｓ）フィールドで示されるＩＰアドレスのうち、プリフィックス部分の長さを示す。即ち、Ｐｒｅｆｉｘ（Ａｄｄｒｅｓｓ）フィールド１２８ビットのうち、Ｐｒｅｆｉｘ  Ｌｅｎｇｔｈで示される先頭ビット群がプリフィックス部分を示す。図５に於いては、このプリフィックス部分と、ＭＮが保有しているインタフェースＩＤとを結合してＭＮのホームアドレスを作成する。
【００３７】
又Ｌｉｆｅｔｉｍｅは、Ｐｒｅｆｉｘ（Ａｄｄｒｅｓｓ）のアドレス有効時間を示す。この有効時間だけ、ＭＮはホームアドレスやＨＡアドレスを保有する。又Ｐｒｅｆｉｘ（Ａｄｄｒｅｓｓ）は、ＨＡのアドレスを示すもので、前述のＰｒｅｆｉｘ  Ｌｅｎｇｔｈで示される先頭ビット群を、ＭＮのホームアドレスの先頭ビット群とする。
【００３８】
図７は、本発明の実施の形態の第２のアドレス作成方法の説明図であり、ＡＲは通常のルータ広告に、ホームプリフィックス情報（Ｈｏｍｅ  Ｐｒｅｆｉｘ）オプションと、ＨＡのアドレス（ＨＡ  ａｄｄｒｅｓｓ）オプションとを追加して有線又は無線の回線に送出する場合を示す。ＭＮに於けるＣｏＡ及びホームアドレスの作成は、図５に示す場合と同様に、プリフィックス情報オプションの中の有効プリフィックス長分を取り出して、それにＭＮが予め保有しているインタフェースＩＤと結合してＣｏＡを作成する。
【００３９】
又ＭＮは、ホームプリフィックス情報オプション中の有効プリフィックス長分を取り出して、ＭＮが保有しているインタフェースＩＤと結合し、ホームアドレス（Ｈｏｍｅ  Ａｄｄｒｅｓｓ）を作成する。又ＨＡのアドレス（ＨＡ  ａｄｄｒｅｓｓ）オプションに格納されているＨＡアドレス領域で示される値を、ＭＮのホームエージェントのアドレス（ＨＡアドレス）とする。
【００４０】
図８は、前述のＨＡのアドレス（ＨＡ  ａｄｄｒｅｓｓ）オプションのフォーマットの一例を示すもので、Ｔｙｐｅは、このオプションを他のオプションと区別する為の値、Ｌｅｎｇｔｈは、このオプションのフィールドの長さ、ＨＡ  Ａｄｄｒｅｓｓは、ＨＡのアドレスを示す。
【００４１】
図７に示すアドレス作成方法は、図５に示すアドレス作成方法に比較して、メッセージ長が長くなるが、ＭＮのホームアドレスとＨＡのホームアドレスとを、別のプリフィックスを基に作成することができる。
【００４２】
図９は、本発明の実施の形態の第３のアドレス作成方法の説明図であり、通常のルータ広告に、ホームプリフィックス情報（Ｐｒｅｆｉｘ  Ｉｎｆｏｒｍａｔｉｏｎ）オプションと、ＨＡのインタフェースＩＤ（ＨＡ  ＩｎｔｅｒｆａｃｅＩＤ）オプションとを追加した場合を示す。ＭＮのＣｏＡ及びホームアドレスは、図５及び図７に示す場合と同様にして作成する。
【００４３】
ＨＡアドレスは、ホームプリフィックス情報オプションの中に格納されているプリフィックスのうちの有効プリフィックス長分を取り出して、ＨＡのインタフェースＩＤオプションに収容されているインタフェースＩＤと結合して、ＨＡアドレスを作成する。
【００４４】
図１０は、本発明の実施の形態の第４のアドレス作成方法の説明図であり、通常のルータ広告に、ＨＡのアドレス（ＨＡ  ａｄｄｒｅｓｓ）オプションを追加して回線に送出する場合を示す。ＭＮのＣｏＡ及びホームアドレスは、前述のように、プリフィックス情報オプション中に格納されているプリフィックスのうち、有効プリフィックス長分を取り出し、それにＭＮが予め保有しているインタフェースＩＤと結合することにより作成することができる。又ＨＡのアドレスは、図７に示す場合と同様にして作成する。
【００４５】
図１１は、本発明の実施の形態の第５のアドレス作成方法の説明図であり、図１０に示すＨＡのアドレス（ＨＡ  ａｄｄｒｅｓｓ）オプションの代わりに、ＨＡインタフェースＩＤオプションを追加したルータ広告の構成とした場合を示す。ＭＮのＣｏＡの作成又はホームアドレスは、プリフィックス情報オプションから作成する。ＨＡアドレスは、プリフィックス情報オプションとＨＡのインタフェースＩＤオプションとから作成する。
【００４６】
図１２は、本発明の実施の形態の第６のアドレス作成方法の説明図であり、通常のプリフィックス情報オプションを含むルータ広告を用いた場合を示し、ＭＮのＣｏＡ又はホームアドレスは、図１１に示す場合と同様にして作成する。又ＨＡのアドレスは、ルータ広告のソースアドレス（ＳＡ）とプリフィックス情報オプションとから作成する。即ち、プリフィックス情報オプションに格納されているプリフィックスのうち、有効プリフィックス長分を取り出し、それに、ソースアドレス（ＳＡ）領域に収容されているインタフェースＩＤ（ルータのインタフェースＩＤ）とを結合して作成する。
【００４７】
ルータ広告のオプションとしては、前述の名称及びフォーマットに限定されるものではなく、種々付加変更することが可能である。又オプションを追加したルータ広告を送出するルータは、ＭＮが接続されるルータのみとすることも可能である。又ＭＮは、追加されたオプション構成に対応して、ＣｏＡ，ホームアドレス，ＨＡのアドレスの作成手段を備えることになる。このような手段はＭＮが保有するプロセッサの処理機能により容易に実現することができる。
【００４８】
（付記１）モバイルＩＰホームエージェント機能を有するルータと、移動可能で、移動先の前記ルータに接続して通信相手先の端末の間で通信するモバイル端末とを含むネットワークシステムに於いて、前記モバイル端末は、前記ルータからの少なくともプリフィックス情報を含む広告メッセージを受信して、気付アドレスとホームアドレスとの作成及びホームエージェントのアドレスとを作成する手段と、該手段により作成したアドレスを基に前記広告メッセージを送出したルータに登録要求する手段とを含む構成を有し、前記ルータは、少なくともプリフィックス情報を含む前記広告メッセージを回線に送出する手段と、前記モバイル端末からの登録要求に従って該モバイル端末のホームエージェントとなる登録手段とを含む構成を有することを特徴とするネットワークシステム。
【００４９】
（付記２）前記ルータは、前記広告メッセージに前記モバイル端末のホームアドレスを作成する為のホームプリフィックス情報を追加して送出する手段を有することを特徴とする前記付記１記載のネットワークシステム。
（付記３）前記ルータは、前記広告メッセージに前記ホームプリフィックス情報と、ホームエージェントのアドレス作成の為の情報とを追加して送出する手段を含むことを特徴とする付記１記載のネットワークシステム。
【００５０】
（付記４）前記モバイル端末は、前記ルータからの広告メッセージを受信して気付アドレスとホームアドレスとの何れか又は両方とホームエージェントのアドレスとを作成するアドレス作成手段と、該アドレス作成手段により作成したアドレスを前記ルータに登録して該ルータをホームエージェントとする為の登録要求手段とを含むことを特徴とする付記１記載のネットワークシステム。
【００５１】
（付記５）モバイルＩＰホームエージェント機能を有するルータと、移動可能で、移動先の前記ルータに接続して通信相手先の端末の間で通信するモバイル端末とを含むネットワークシステムに於ける前記モバイル端末を接続したルータをホームエージェントとする為のアドレス作成方法に於いて、前記モバイル端末は、前記ホームエージェントとするルータからのプリフィックス情報オプションを含むルータ広告を受信して、前記プリフィックス情報オプションを基に少なくとも気付アドレスを作成し、前記プリフィックス情報オプション又は追加のオプションを基にホームアドレスを作成し、且つ前記プリフィックス情報オプションと追加のオプション又は追加のオプションにより前記ホームエージェントのアドレスを作成する過程を含むことを特徴とするアドレス作成方法。
【００５２】
（付記６）前記モバイル端末が、前記ルータからのルータ広告を受信し、該ルータ広告のプリフィックス情報と自端末が保有するインタフェースＩＤとを結合して、自端末のホームアドレスを作成する過程を含むことを特徴とする付記５記載のアドレス作成方法。
（付記７）前記モバイル端末が、前記ホームアドレス若しくはホームプリフィックス情報を保有していない時は、前記ルータ広告のプリフィックス情報オプションによるプリフィックス情報と該モバイル端末が保有するインタフェースＩＤとを結合して該モバイル端末のホームアドレスを作成し、該モバイル端末が前記ホームアドレスを保有し、気付アドレスを作成する時は、前記情報と該モバイル端末が保有するインタフェースＩＤとを結合して該モバイル端末の気付アドレスを作成する過程を含むことを特徴とする付記５記載のアドレス作成方法。
【００５３】
【発明の効果】
以上説明したように、本発明は、ＭＮの近傍のＡＲからのルータ広告を受信して、気付アドレスやホームアドレスやＨＡのアドレス等を作成し、そのＡＲをホームエージェントＨＡとするもので、ＭＮとＨＡとの距離が近いことにより、位置登録やパケットの伝送に要する時間が短縮される利点がある。又ＨＡに於いては、ＩＰレイヤのハンドリング機能を有するもので、ＭＮ，ＨＡ間は、ＩＰアドレスを使用することから、通常のハブやレイヤスイッチ等を介して接続することも可能である。又従来例としての特許文献１のように、ＡＲ配下のＭＮについての全通信相手先リストをＡＲに備える必要がないので、ＡＲに於いて取り扱うメッセージを少なくすることができる。
【図面の簡単な説明】
【図１】本発明の実施の形態の要部説明図である。
【図２】位置登録シーケンス説明図である。
【図３】アドレス作成及び位置登録の説明図である。
【図４】アドレス作成及び位置登録の説明図である。
【図５】本発明の実施の形態の第１のアドレス作成方法の説明図である。
【図６】ホームプリフィックス情報オプションのフォーマットの説明図である。
【図７】本発明の実施の形態の第２のアドレス作成方法の説明図である。
【図８】ＨＡアドレスのフォーマットの説明図である。
【図９】本発明の実施の形態の第３のアドレス作成方法の説明図である。
【図１０】本発明の実施の形態の第４のアドレス作成方法の説明図である。
【図１１】本発明の実施の形態の第５のアドレス作成方法の説明図である。
【図１２】本発明の実施の形態の第６のアドレス作成方法の説明図である。
【図１３】従来のネットワークシステムの説明図である。
【図１４】従来のアドレス作成のシーケンスチャートである。
【符号の説明】
１  モバイル端末（ＭＮ）
２  アクセスルータ（ＡＲ）
３  ネットワーク
４  ホームアドレス受信手段
５  ホームアドレス作成手段
６  登録要求手段
７  ホームアドレス通知手段
８  ホームエージェントの登録手段
【図１】
2005012620.tif 000003
【図２】
2005012620.tif 000004
【図３】
2005012620.tif 000005
【図４】
2005012620.tif 000006
【図５】
2005012620.tif 000007
【図６】
2005012620.tif 000008
【図７】
2005012620.tif 000009
【図８】
2005012620.tif 000010
【図９】
2005012620.tif 000011
【図１０】
2005012620.tif 000012
【図１１】
2005012620.tif 000013
【図１２】
2005012620.tif 000014
【図１３】
2005012620.tif 000015
【図１４】
2005012620.tif 000016